(57)【要約】【課題】排気孔の大型化およびゲッター量の充分な確保を図った電界放出型表示装置の提供。【解決手段】互いに交差して配置されるカソード電極およびゲート電極が形成され、周辺の互いに直交する二領域のそれぞれにカソード電極引出領域およびゲート電極引出領域が形成されたカソード基板と、  前記カソード電極引出領域およびゲート電極引出領域を露呈させて前記カソード基板とシール枠を介して対向配置されるアノード基板とを備え、  前記シール枠内の一部に電子源を備える画像表示領域が形成されている電界放出型表示装置であって、  前記カソード電極引出領域の対辺側において前記シール枠と画像表示領域との間、および前記ゲート電極引出領域の対辺側において前記シール枠と画像表示領域との間に、画像表示に寄与しない領域を形成し、この領域の一部に少なくともゲッター用孔および排気孔が前記カソード基板の貫通孔によって形成されている。【選択図】図１
2009087792.tif 000002
【特許請求の範囲】
【請求項１】
互いに交差して配置されるカソード電極およびゲート電極が形成され、周辺の互いに直交する二領域のそれぞれにカソード電極引出領域およびゲート電極引出領域が形成されたカソード基板と、
前記カソード電極引出領域およびゲート電極引出領域を露呈させて前記カソード基板とシール枠を介して対向配置されるアノード基板とを備え、
前記シール枠内の一部に電子源を備える画像表示領域が形成されている電界放出型表示装置であって、
前記カソード電極引出領域の対辺側において前記シール枠と画像表示領域との間、および前記ゲート電極引出領域の対辺側において前記シール枠と画像表示領域との間に、画像表示に寄与しない領域を形成し、この領域の一部に少なくともゲッター用孔および排気孔が前記カソード基板の貫通孔によって形成されていることを特徴とする電界放出型表示装置。
【請求項２】
前記カソード電極引出領域の対辺側において前記シール枠と画像表示領域との間にカソード電極の先端における電界集中を防止する手段が形成され、
前記ゲート電極引出領域の対辺側において前記シール枠と画像表示領域との間にアノード電極の先端における電界集中を防止する手段が形成されていることを特徴とする請求項１に記載の電界放出型表示装置。
【請求項３】
前記カソード電極引出領域の対辺側において前記シール枠と画像表示領域との間、および前記ゲート電極引出領域の対辺側において前記シール枠と画像表示領域との間にダミー電極を形成することによって前記電界集中を防止する手段を構成することを特徴とする請求項２に記載の電界放出型表示装置。
【請求項４】
前記カソード電極引出領域の対辺側に形成されるダミー電極は、絶縁膜を介して各カソード電極の前記カソード電極引出領域と反対側の端部を被って形成されていることを特徴とする請求項３に記載の電界放出型表示装置。
【請求項５】
前記ゲート電極引出領域の対辺側のダミー電極と前記カソード電極引出領域の対辺側のダミー電極は、直交して配置されていることを特徴とする請求項３に記載の電界放出型表示装置。
【請求項６】
前記ダミー電極は、前記カソード基板に形成された前記ゲッター用孔および排気孔の形成部において孔が形成されていることを特徴とする請求項３に記載の電界放出型表示装置。
【請求項７】
前記ゲート電極引出領域の対辺側において形成された前記ダミー電極とゲート電極の間に、前記ダミー電極のゲート電極側の部分と前記ゲート電極の前記ダミー電極側の部分を被った絶縁物が被着されていることを特徴とする請求項３に記載の電界放出型表示装置。
【請求項８】
カソード基板上において、少なくとも前記ゲッター用孔が形成されている近傍であって該ゲッター用孔と画像表示領域の間に、先端部がアノード基板に当接した遮蔽板が配置されていることを特徴とする請求項１に記載の電界放出型表示装置。
【請求項９】
前記遮蔽板は、ダミー電極とカソード電極の間に形成された絶縁物を固着剤としてカソード基板に固着されていることを特徴とする請求項７に記載の電界放出型表示装置。
【請求項１０】
互いに交差して配置されるカソード電極およびゲート電極が形成され、周辺の互いに直交する二領域のそれぞれにカソード電極引出領域およびゲート電極引出領域が形成されたカソード基板と、
前記カソード電極引出領域およびゲート電極引出領域を露呈させて前記カソード基板とシール枠を介して対向配置されるアノード基板とを備え、
前記シール枠内の一部に電子源を備える画像表示領域が形成されている電界放出型表示装置であって、
前記カソード電極引出領域の対辺側において前記シール枠と画像表示領域との間、および前記ゲート電極引出領域の対辺側において前記シール枠と画像表示領域との間に、画像表示に寄与しない領域を形成し、この領域の一部に排気孔が形成され、かつ、少なくとも蒸発型ゲッターが配置されているとともに、少なくとも前記蒸発型ゲッターが配置されている近傍であって該蒸発型ゲッターと画像表示領域の間に、先端部がアノード基板に当接した遮蔽板が配置されていることを特徴とする電界放出型表示装置。
【発明の詳細な説明】
【技術分野】
【０００１】
本発明は電界放出型表示装置に関する。
【背景技術】
【０００２】
電界放出型表示装置は、アノード基板、カソード基板、およびこれらアノード基板とカソード基板の間に配置されるシール枠とで囲まれた薄型の箱体からなる外囲器を備える。
【０００３】
そして、この外囲器内において、カソード基板のアノード基板と対向する側の面にマトリックス状に配置され独立に駆動される各電子源を備え、これら各電子源と対向するアノード基板の面に各電子源からの電子によって励起されて発光する蛍光体が形成されることによって、画像表示領域を構成するようになっている。
【０００４】
このことから、該外囲器は、その内部が真空状態に保持され、該電子源から電子が効率的に放出されるようにし、蛍光体に付着する有機汚染物質を軽減させるようになっている。
【０００５】
このため、外囲器の一部には、該外囲器内を真空に引くために用いる排気孔が設けられるとともに、該外囲器内の真空状態を保持するため、該外囲器の外側に形成されるゲッター室に配置されるゲッターによって該外囲器内に発生するガスを吸着させる際のガス通路となるゲッター用孔が設けられている。
【０００６】
このような構成からなる電界放出型表示装置は、たとえば下記特許文献１ないし４に開示がなされている。
【特許文献１】特開２０００−２１３３５号公報
【特許文献２】特開２０００− ２５１６５１号公報
【特許文献３】特開２０００−１４３２６２号公報
【特許文献４】特開２０００−１６４１３１号公報
【発明の開示】
【発明が解決しようとする課題】
【０００７】
このような構成からなる電界放出型表示装置において、いわゆる額縁の幅を全周辺においてほぼ等しくすることが要望され、カソード基板、アノード基板、シール枠の各中心をほぼ一致させ、シール枠内に画像表示領域をできるだけ大きく構成する場合がある。
【０００８】
この場合、画像表示領域の外方の周辺であってシール枠との間は僅かな面積の領域しか確保することができず、該画像表示領域を回避して排気孔およびゲッター用孔を形成する場合に、上述した僅かな面積の領域の一部に形成せざるを得ず、それらの孔は充分な大きさのものとして形成することは困難となっていた。
【０００９】
このため、表示装置の製造において、外囲器を減圧するのに長時間を要し、またゲッター量を充分に確保できないことから減圧にも限度が生じるといった不都合が指摘されるに至った。
【００１０】
本発明の目的は、排気孔の大型化およびゲッタ量の充分な確保を図った電界放出型表示装置を提供することにある。
【課題を解決するための手段】
【００１１】
本願において開示される発明のうち、代表的なものの概要を簡単に説明すれば、以下のとおりである。
【００１２】
（１）本発明による電界放出型表示装置は、たとえば、互いに交差して配置されるカソード電極およびゲート電極が形成され、周辺の互いに直交する二領域のそれぞれにカソード電極引出領域およびゲート電極引出領域が形成されたカソード基板と、
前記カソード電極引出領域およびゲート電極引出領域を露呈させて前記カソード基板とシール枠を介して対向配置されるアノード基板とを備え、
前記シール枠内の一部に電子源を備える画像表示領域が形成されている電界放出型表示装置であって、
前記カソード電極引出領域の対辺側において前記シール枠と画像表示領域との間、および前記ゲート電極引出領域の対辺側において前記シール枠と画像表示領域との間に、画像表示に寄与しない領域を形成し、この領域の一部に少なくともゲッター用孔および排気孔が前記カソード基板の貫通孔によって形成されていることを特徴とする。
【００１３】
（２）本発明による電界放出型表示装置は、たとえば、（１）の構成を前提とし、前記カソード電極引出領域の対辺側において前記シール枠と画像表示領域との間にカソード電極の先端における電界集中を防止する手段が形成され、
前記ゲート電極引出領域の対辺側において前記シール枠と画像表示領域との間にアノード電極の先端における電界集中を防止する手段が形成されていることを特徴とする。
【００１４】
（３）本発明による電界放出型表示装置は、たとえば、（２）の構成を前提とし、前記カソード電極引出領域の対辺側において前記シール枠と画像表示領域との間、および前記ゲート電極引出領域の対辺側において前記シール枠と画像表示領域との間にダミー電極を形成することによって前記電界集中を防止する手段を構成することを特徴とする。
【００１５】
（４）本発明による電界放出型表示装置は、たとえば、（３）の構成を前提とし、前記カソード電極引出領域の対辺側に形成されるダミー電極は、絶縁膜を介して各カソード電極の前記カソード電極引出領域と反対側の端部を被って形成されていることを特徴とする。
【００１６】
（５）本発明による電界放出型表示装置は、たとえば、（３）の構成を前提とし、前記ゲート電極引出領域の対辺側のダミー電極と前記カソード電極引出領域の対辺側のダミー電極は、直交して配置されていることを特徴とする。
【００１７】
（６）本発明による電界放出型表示装置は、たとえば、（３）の構成を前提とし、前記ダミー電極は、前記カソード基板に形成された前記ゲッター用孔および排気孔の形成部において孔が形成されていることを特徴とする。
【００１８】
（７）本発明による電界放出型表示装置は、たとえば、（３）の構成を前提とし、前記ゲート電極引出領域の対辺側において形成された前記ダミー電極とゲート電極の間に、前記ダミー電極のゲート電極側の部分と前記ゲート電極の前記ダミー電極側の部分を被った絶縁物が被着されていることを特徴とする。
【００１９】
（８）本発明による電界放出型表示装置は、たとえば、（１）の構成を前提とし、カソード基板上において、少なくとも前記ゲッター用孔が形成されている近傍であって該ゲッター用孔と画像表示領域の間に、先端部がアノード基板に当接した遮蔽板が配置されていることを特徴とする。
【００２０】
（９）本発明による電界放出型表示装置は、たとえば、前記遮蔽板は、ダミー電極とカソード電極の間に形成された絶縁物を固着剤としてカソード基板に固着されていることを特徴とする。
【００２１】
（１０）本発明による電界放出型表示装置は、たとえば、互いに交差して配置されるカソード電極およびゲート電極が形成され、周辺の互いに直交する二領域のそれぞれにカソード電極引出領域およびゲート電極引出領域が形成されたカソード基板と、
前記カソード電極引出領域およびゲート電極引出領域を露呈させて前記カソード基板とシール枠を介して対向配置されるアノード基板とを備え、
前記シール枠内の一部に電子源を備える画像表示領域が形成されている電界放出型表示装置であって、
前記カソード電極引出領域の対辺側において前記シール枠と画像表示領域との間、および前記ゲート電極引出領域の対辺側において前記シール枠と画像表示領域との間に、画像表示に寄与しない領域を形成し、この領域の一部に排気孔が形成され、かつ、少なくとも蒸発型ゲッターが配置されているとともに、少なくとも前記蒸発型ゲッターが配置されている近傍であって該蒸発型ゲッターと画像表示領域の間に、先端部がアノード基板に当接した遮蔽板が配置されていることを特徴とする。
【００２２】
なお、本発明は以上の構成に限定されず、本発明の技術思想を逸脱しない範囲で種々の変更が可能である。
【発明の効果】
【００２３】
本発明による電界放出型表示装置によれば、排気孔の大型化およびゲッタ量の充分な確保を図ることができる。
【発明を実施するための最良の形態】
【００２４】
以下、本発明による電界放出型表示装置の実施例を図面を用いて説明をする。
【００２５】
〈実施例１〉
（概略構成）
図１は本発明による電界放出型表示装置の一実施例を示した構成図で、図１（ａ）は平面図、図１（ｂ）は図１（ａ）のｂ−ｂ線における断面図、図１（ｃ）は図１（ａ）のｃ−ｃ線における断面図を示している。
【００２６】
図１において、該電界放出形表示装置の外囲器１が示され、この外囲器１は、図中前方に配置されるアノード基板２と、図中後方に配置されるカソード基板３と、該アノード基板２とカソード基板３との間に配置され該外囲器１の側面を構成するシール枠４とで構成されている。
【００２７】
アノード基板２とカソード基板３は、いずれも矩形状からなり、たとえば２ｍｍ以下の間隔で配置され、これにより該外囲器１は薄型の箱体として構成されている。
【００２８】
ここで、前記アノード基板２は、前記カソード基板３に対して小さな面積で形成され、その図中下側辺および左側辺における端面がカソード基板３の対応する端面とほぼ面一になるように、また、図中上側辺部、および右側辺部においてカソード基板３の主表面を比較的広い面積で露出させるようにして配置されている。
【００２９】
前記シール枠４は前記アノード基板２の周辺に形成され、このことから、該シール枠４は、その中心が前記カソード基板３の中心に対してずれた状態で該カソード基板３上に配置されるようになっている。
【００３０】
前記カソード基板３のアノード基板２から露出された図中上側辺部は前記シール枠４内から各カソード電極を引出すためのカソード電極引出領域ＫＥＤを構成し、右側辺部は該シール枠４内から各ゲート電極を引き出すためのゲート電極引出領域ＧＥＤを構成するようになっている。
【００３１】
また、前記シール枠４に囲まれた領域において、前記カソード電極引出領域ＫＥＤの対辺側において、また、前記ゲート電極引出領域ＧＥＤの対辺側において画像表示に寄与しない領域（以下、表示不寄与領域ＮＣＤと称する）が形成され、この表示不寄与領域ＮＣＤを除く領域において画像表示領域ＡＲが形成されている。このため、画像表示領域ＡＲにおける前記表示不寄与領域ＮＣＤの対辺側は、たとえば前記シール枠４との間にほとんどスペースがない状態で該シール枠４に近接して配置されている。
【００３２】
また、該画像表示領域ＡＲは、その構成を後に詳述するが、そのカソード基板３側に互いに交差して配置されるカソード電極（図３において符号１５で示す）およびゲート電極（図３において符号１３で示す）を有し、それらの各交差部に電子源（図３において符号１２で示す）を備えて構成され、アノード基板２の前記各電子源と対向する部分に該電子源からの電子の衝突によって発光する蛍光体（図３において符号２１で示す）を備えて構成されている。このことから、前記外囲器１の内部は真空状態に保持され、該電子源から電子が効率的に放出できるようにするとともに、前記蛍光体に付着する有機汚染物質を軽減させるようになっている。
【００３３】
また、前記表示不寄与領域ＮＣＤの一部には、排気孔（正確には排気孔として用いられた孔）５、およびゲッター用孔６が形成されている。
【００３４】
前記排気孔５は、外囲器１の組み立てが完了した後に該外囲器１を真空に引くための排気通路として用いられるもので、排気が終了した後には閉塞されるようになっている。
【００３５】
また、前記ゲッター用孔６が形成されているカソード基板３の外側には該ゲッター用孔６を被うようにしてゲッター室７が形成され、このゲッター室７の内部にはゲッター８が配置されるようになっている。なお、前記ゲッタ室７は複数の平板部材をシール剤を介して組み立てられるようになっている。
【００３６】
前記ゲッター８は、蛍光体に電子を照射させる際に発生するＣＯ２、ＣＯ、Ｈ２Ｏ等のガスを吸着させるための材料で、たとえば、Ｂａ−Ａｉ等による蒸着型の材料、あるいはＴｉ−Ｚｒ−Ａｌ、Ｔｉ−Ｚｒ−Ｖ−Ｆｅ合金等による非蒸発型の材料等が用いられる。
【００３７】
なお、該ゲッター８が蒸発型の材料である場合、該ゲッター８によって前記ガスを吸着させるためには、加熱によって、ゲッター８の活性化をする必要がある。
【００３８】
このように、前記排気孔５、およびゲッター用孔６は、シール枠４の内部に特別に形成した表示不寄与領域ＮＣＤの一部に形成しているため、それらの孔の径を従来よりも大きく形成することができる。このため、外囲器１内を減圧するにあって短時間で行うことができ、またゲッター量の充分な確保を図ることができる効果を奏するようになる。
【００３９】
なお、アノード基板２とカソード基板３の間であってシール枠４の内部には間隔保持部材９が配置され、これによりアノード基板２とカソード基板３のギャップが一定となるようになっている。
【００４０】
上述のように構成された電界放出型表示装置は、図２の簡略した平面図で示すように、カソード電極引出領域ＫＥＤの幅とこのカソード電極引出領域ＫＥＤと対辺側にある表示不寄与領域（図中、符号ＮＣＤｋで示す）の幅をほぼ等しく、ゲート電極引出領域ＧＥＤの幅とこのゲート電極引出領域ＧＥＤと対辺側にある表示不寄与領域（図中、符号ＮＣＤｇで示す）の幅をほぼ等しく設定している。これにより、カソード基板３の中心と画像表示領域ＡＲの中心をほぼ一致づけるように構成でき、これにより、カソード基板３の周辺のいわゆる額縁の幅（図中、符号ｗで示す）をほぼ等しくできる効果を奏する。
【００４１】
なお、上述した構成では、前記排気孔５およびゲッター用孔６は、それぞれ、ゲート電極引出領域ＧＥＤの対辺側における表示不寄与領域ＮＣＤの領域（ＮＣＤｇ）に形成したものである。しかし、これに限定されることはなく、カソード電極引出領域ＫＥＤの対辺側における表示不寄与領域ＮＣＤの領域（ＮＣＤｋ）に形成するようにしてもよい。
【００４２】
さらには、前記排気孔５およびゲッター用孔６のうち、一方の孔をゲート電極引出領域ＧＥＤの対辺側における表示不寄与領域ＮＣＤの領域（ＮＣＤｇ）に形成し、他方の孔をカソード電極引出領域ＫＥＤの対辺側における表示不寄与領域ＮＣＤの領域（ＮＣＤｋ）に形成するようにしてもよい。
【００４３】
（画像表示領域ＡＲの構成）
図３（ａ）、（ｂ）は、前記画像表示領域ＡＲにおける構成の一実施例を示す図である。また、図３（ａ）、（ｂ）のIV−IV線における断面図を図４に示している。
【００４４】
図３（ａ）は、前記カソード基板３のアノード基板２に対向する面に形成された電子放出部を示した平面図である。
【００４５】
この電子放出部は画像表示領域ＡＲ内にマトリックス状に配置させた多数の電子源１２から構成されている。
【００４６】
すなわち、前記カソード基板３の表面に、まず、図中ｘ方向に伸張しｙ方向に並設される帯状のｘ方向電極（ゲート電極）１３が形成されている。
【００４７】
カソード基板３の表面には該ｘ方向電極１３をも被ってたとえばＳｉＮからなる絶縁膜１４が形成されている。
【００４８】
該絶縁膜１４の表面には、図中ｙ方向に伸張しｘ方向に並設される帯状のｙ方向電極（カソード電極）１５が形成されている。
【００４９】
これらｙ方向電極１５には、前記ｘ方向電極１３と交叉する領域であって該領域の中央部に、孔１６が形成されている。
【００５０】
前記絶縁膜１４にも、ｙ方向電極１５の各孔１６と同心状に配置される孔１８が形成され、該孔１８によって前記ｘ方向電極１３の一部を露出できるようになっている。
【００５１】
そして、それぞれの絶縁膜１４の孔１８（ｙ方向電極１５の孔１６）から露出されたｘ方向電極１３の表面には、たとえば円錐状の導電材からなる前記電子源（エミッタ電極）１２が形成されている。
【００５２】
また、図３（ｂ）は、アノード基板２のカソード基板３と対向する面に形成された表示部を示した平面図である。
【００５３】
この表示部は画像表示領域ＡＲ内であって前記電子放出部の各電子源１２にそれぞれ対向する部分において画素として機能し、したがってマトリックス状に配置される多数の画素から構成されている。
【００５４】
すなわち、前記アノード基板２の表面に、まず、前記画像表示領域ＡＲの全域にわたって透明材料からなる面状電極（アノード電極）２０が形成されている。
【００５５】
前記面状電極２０の表面には、図中ｙ方向に伸張しｘ方向に並設される帯状の蛍光体層２１が形成されている。
【００５６】
各蛍光体層２１は、前記ｙ方向電極１５と対向するようにして形成されるとともに、たとえば、図中ｘ方向へかけて、赤（Ｒ）発光用の蛍光体２１、緑（Ｇ）発光用の蛍光体２１、青（Ｂ）発光用の蛍光体２１、がそれぞれその順番を繰り返して配置されている。
【００５７】
ｘ方向へ互いに隣接して配置される３個の赤、緑、青の各蛍光体２１をカラー表示用の単位画素として用いるようになっている。
【００５８】
なお、ｙ方向へ伸張する蛍光体２１はそれが同色発光用であることから、該ｙ方向に各画素毎に分離させることなく、互いに接続させて形成している。
【００５９】
前記アノード基板２の表面には該各蛍光体２１をも被ってたとえばアルミニュウムからなるメタルバック２２が形成されている。このメタルバック２２は、たとえば、蛍光体２１から発生した光のうち、前記電子源１２の方向に進む光をアノード基板２の方向に反射させて輝度を向上させる機能を有する。
【００６０】
（表示不寄与領域ＮＣＤの構成)
図５は、前記電界放出型表示装置のシール枠４内における表示不寄与領域ＮＣＤの一実施例を示す構成図である。
【００６１】
図５（ａ）は電界放出型表示装置の平面図を示し、図１（ａ）に示した図と同様となっている。図５（ｂ）は図５（ａ）のｂ−ｂ線における断面図を示し、図５（ｃ）は図５（ａ）のｃ−ｃ線における断面図を示している。
【００６２】
まず、図５（ａ）において、シール枠４内の表示不寄与領域ＮＣＤには、画素表示領域ＡＲに形成された前記絶縁膜１４がシール枠４の近傍にまで延在されて形成されている。
【００６３】
そして、該表示不寄与領域ＮＣＤには、そのほぼ全域にわたり、前記絶縁膜１４上に一定の電位に保持された電極ＤＭＴが形成されている。
【００６４】
この電極ＤＭＴは、ゲート電極１５の前記ゲート電極引出領域ＧＥＤと反対側の端部において、また、カソード電極１５の前記カソード電極引出領域ＫＥＤと反対側の端部において、電界集中を回避するための電極として機能し、以下、この明細書においてダミー電極ＤＭＴと称する。
【００６５】
なお、このダミー電極ＤＭＴは、前記排気孔５およびゲッター用孔６の各孔の部分において該孔と同心の孔を有するように構成され、該ダミー電極ＤＭＴから前記排気孔５およびゲッター用孔６のそれぞれが露出されるようになっている。
【００６６】
なお、このダミー電極ＤＭＴは、たとえばゲート電極１３と同材料からなり、また、該ゲート電極１３の形成の際に同時に形成されるようになっている。
【００６７】
図５（ｂ）に示すように、前記ゲート電極引出領域ＧＥＤと平行して配置されるダミー電極ＤＭＴは、その長手方向がカソード電極１５の長手方向に一致づけられて形成され、各ゲート電極１３の端部（前記ゲート電極引出領域ＧＥＤと反対側の端部）と離間されて形成されている。
【００６８】
なお、図５（ｂ）において、画像表示領域ＡＲの範囲が示され、この画像表示領域ＡＲよりも外方へ若干広がる領域において約１０ｋＶの高圧印加領域ＨＶＲが存在している。このため、画像表示領域ＡＲにおけるカソード電極１５との間に、前述したダミー電極ＤＭＴの他に、カソード電極１５とほぼ同じ幅をもち、かつ該カソード電極１５と平行に配置された数本のダミー電極ＤＭＴが形成されるようになっている。
【００６９】
また、図５（ｃ）に示すように、前記カソード電極引出領域ＫＥＤと平行して配置されるダミー電極ＤＭＴは、その長手方向がゲート電極１３の長手方向に一致づけられて形成され、各カソード電極１５の端部（前記カソード電極引出領域ＫＥＤと反対側の端部）を被うようにして形成されている。該ダミー電極ＤＭＴによって各カソード電極１５の端部を被うように構成することによって、該端部における電界集中をより信頼性よく回避させることができる。
【００７０】
なお、図５（ｃ）において、画像表示領域ＡＲの範囲が示され、この画像表示領域ＡＲよりも外方へ若干広がる領域において約１０ｋＶの高圧印加領域ＨＶＲが存在している。このため、画像表示領域ＡＲにおけるゲート電極１３との間に、前述したダミー電極ＤＭＴの他に、ゲート電極１３とほぼ同じ幅をもち、かつ該ゲート電極１３と平行に配置された数本のダミー電極ＤＭＴが形成されるようになっている。
【００７１】
〈実施例２〉
図６は、本発明による電界放出型表示装置の他の実施例を示した説明図で、図５（ｂ）と対応した図となっている。
【００７２】
図５（ｂ）の場合と比較して異なる構成は、ゲート電極１３の端部（ゲート電極引出領域ＧＥＤと反対側の端部）に近接されるダミー電極ＤＭＴと前記端部との間の領域に絶縁物３０を形成していることにある。
【００７３】
この絶縁物３０は、たとえば、前記ダミー電極ＤＭＴの長手方向辺のうち前記ゲート電極１３側の辺に沿って前記絶縁物３０の材料を塗布することにより形成しても、あるいは周知のフォトリソグラフィ技術による選択エッチング法を用いて形成してもよい。
【００７４】
このように構成することにより、前記ゲート電極１３の端部における電界集中をより信頼性よく回避することができる。
【００７５】
〈実施例３〉
図７（ａ）、（ｂ）は、本発明による電界放出型表示装置の他の実施例を示した説明図で、それぞれ、図５（ａ）、図５（ｂ）に対応した図となっている。
【００７６】
図５（ａ）、（ｂ）の場合と比較して異なる構成は、ゲート電極引出領域ＧＥＤの対辺側にあるダミー電極ＤＭＴの上にカソード電極１５と平行に延在する遮蔽板４０を配置させていることにある。
【００７７】
この遮蔽板４０は、たとえば図６に示した絶縁物３０を固定剤としてカソード基板３に固着され、その頂部はアノード基板２に当接されている。
【００７８】
このように構成した遮蔽板４０は、たとえば前記ゲッター室６内のゲッター８の画像表示領域ＡＲの影響を回避できるようにすることができる。
【００７９】
〈実施例４〉
図８（ａ）、（ｂ）は、本発明による電界放出型表示装置の他の実施例を示した説明図で、それぞれ、図７（ａ）、（ｂ）に対応した図となっている。
【００８０】
図７（ａ）、（ｂ）の場合と同様に、画像表示領域ＡＲと表示不寄与領域ＤＭＴとの境界の一部に遮蔽板４０が配置されている。
【００８１】
そして、該遮蔽板４０とシール枠４との間のダミー電極ＤＭＴの上方に該ダミー電極ＤＭＴの長手方向に沿って複数の蒸発型のゲッター８ａが配置されている。
【００８２】
蒸発型のゲッター８ａは、それによって外囲器１内のガスを吸着させるためには、加熱によって形成されるゲッター蒸着膜を近傍の壁面に形成する必要があり、該壁面として前記遮蔽板４０を用いるようにしている。
【００８３】
前記ゲッター８ａの加熱によって、該遮蔽板４０の壁面に付着されたゲッター蒸着膜８ｂは、図１に示したゲッター室７内のゲッター８と同様の機能を有するようになる。これにより、この実施例では、図１に示したゲッター室７およびこのゲッター室７に連通するゲッター用孔６が形成されていない構成となっている。
【００８４】
ちなみに、本実施例では、カソード電極引出領域ＫＥＤの対辺側にある表示不寄与領域ＮＣＤのダミー電極ＤＭＴ上には該ダミー電極ＤＭＴの長手方向に沿って複数の非蒸発型のゲッター８ｃが配置されており、このため、該表示不寄与領域ＤＭＴと画像表示領域ＡＲとの境界には前記遮蔽板４０に相当する遮蔽板が配置されていない構成となっている。
【００８５】
上述した各実施例はそれぞれ単独に、あるいは組み合わせて用いても良い。それぞれの実施例での効果を単独であるいは相乗して奏することができるからである。
【図面の簡単な説明】
【００８６】
【図１】本発明による電界放出型表示装置の一実施例を示す概略構成図である。
【図２】本発明による電界放出型表示装置の効果を示す概略説明図である。
【図３】本発明による電界放出型表示装置の画像表示領域の構成の一実施例を示す図である。
【図４】図３のIV−IV線における断面図である。
【図５】本発明による電界放出型表示装置の表示不寄与領域の構成の一実施例を示す図である。
【図６】本発明による電界放出型表示装置の表示不寄与領域の構成の一実施例を示す図である。
【図７】本発明による電界放出型表示装置の表示不寄与領域の構成の一実施例を示す図である。
【図８】本発明による電界放出型表示装置の表示不寄与領域の構成の一実施例を示す図である。
【符号の説明】
【００８７】
１……外囲器、２……アノード基板、３……カソード基板、４……シール枠、５……排気孔、６……ゲッター用孔、７……ゲッター室、８……ゲッター、８ａ……蒸発型ゲッター、８ｂ……ゲッター蒸着膜、８ｃ……非蒸発型ゲッター、９……間隔保持部材、１２……電子源、１３……ゲート電極、１５……カソード電極、２０……アノード電極、２１……蛍光体、２２……メタルバック、３０……絶縁物、４０……遮蔽板、ＡＲ……画像表示領域、ＮＣＤ……表示不寄与領域、ＫＥＤ……カソード電極引出領域、ＧＥＤ……ゲート電極引出領域。
【図１】
2009087792.tif 000003
【図２】
2009087792.tif 000004
【図３】
2009087792.tif 000005
【図４】
2009087792.tif 000006
【図５】
2009087792.tif 000007
【図６】
2009087792.tif 000008
【図７】
2009087792.tif 000009
【図８】
2009087792.tif 000010